(57)【要約】  【課題】  地上波テレビ放送の放送電波をスマートアンテナで受信し、前記スマートアンテナの情報を前記映像装置に表示するものであり、前記スマートアンテナの情報を素早く知ることができるスマートアンテナの情報表示方法を提供する。  【解決手段】  画面Ｐ１の予め決められた位置に、電子番組表ＥＰ１、電波の受信方向表示Ｄ１、使用状態表示Ｕ１、方向検索中表示Ｆ１が表示されるように設定されている。【選択図】      図３
2005354434.tif 000002
【特許請求の範囲】
【請求項１】
３６０°全方向に対して電波の受信方向を切り替えることができるスマートアンテナを
介してチューナ部より地上波デジタルテレビ放送及び地上波アナログテレビ放送の放送電
波を受信、復調し、前記チューナ部で受信、復調し、デコーダ部にて復号化して映像及び
音声の信号を映像装置に出力する受信装置において、前記受信装置は各種情報を格納する
記憶部と、制御部とを備えており、
前記制御部は前記受信チャンネルを切り替え、該各受信チャンネルごとに前記スマート
アンテナの電波の受信方向を順次切り替え、受信状態が最も良くなる方向をその受信チャ
ンネルの最適電波の受信方向とし、前記各受信チャンネルに対する最適電波の受信方向を
前記記憶部に格納させ、前記放送電波に含まれている電子番組表情報を抽出し記憶部に格
納させるものであり、
前記記憶部に格納されている前記電子番組表の表示にあわせて各受信チャンネルの最適
電波の受信方向の情報を方角に関係付けられた数値で、前記スマートアンテナの使用状態
を文字で表示し、前記スマートアンテナが方向検索中であることを所定の映像の変化で表
示するＯＳＤ表示部を備えていることを特徴とする受信装置。
【請求項２】
３６０°全方向に対して電波の受信方向を切り替えることができるスマートアンテナを
介してチューナ部より地上波テレビ放送の放送電波を受信、復調し、前記チューナ部で受
信、復調し、デコーダ部にて復号化して映像及び音声の信号を映像装置に出力する受信装
置において、前記受信装置は各種情報を格納する記憶部と、制御部とを備えており、
前記制御部は前記受信チャンネルを切り替え、該各受信チャンネルごとに前記スマート
アンテナの電波の受信方向を順次切り替え、受信状態が最も良くなる方向をその受信チャ
ンネルの最適電波の受信方向とし、前記各受信チャンネルに対する最適電波の受信方向を
前記記憶部に格納させ、前記放送電波に含まれている電子番組表情報を抽出し記憶部に格
納させるものであり、
前記記憶部に格納されている前記電子番組表の表示にあわせて各受信チャンネルの最適
電波の受信方向の情報を表示するＯＳＤ表示部を備えていることを特徴とする受信装置。
【請求項３】
前記ＯＳＤ表示部は前記電子番組表の表示にあわせて前記スマートアンテナの使用状態
を表示することを特徴とする請求項２に記載の受信装置。
【請求項４】
前記ＯＳＤ表示部は電子番組表の表示にあわせて前記スマートアンテナが方向検索中で
ある旨を画像の変化で表示することを特徴とする請求項２又は請求項３に記載の受信装置
。
【請求項５】
前記ＯＳＤ表示部は最適電波の受信方向の表示に数値、文字又は記号のうち少なくとも
ひとつを用いることを特徴とする請求項２、請求項３又は請求項４に記載の受信装置。
【請求項６】
前記ＯＳＤ表示部はスマートアンテナの使用状態の表示に文字、所定の場所における背
景色の変化及び所定の映像の有無又は変化のうち少なくともひとつを用いること特徴とす
る請求項３、請求項４又は請求項５に記載の受信装置。
【請求項７】
３６０°全方向に対して電波の受信方向を切り替えることができるスマートアンテナを
介してチューナ部より地上波デジタルテレビ放送及び地上波アナログテレビ放送の放送電
波を受信、復調し、前記チューナ部で受信、復調し、デコーダ部にて復号化して映像及び
音声の信号を映像装置に出力する受信装置におけるスマートアンテナの情報表示方法であ
って、
前記受信チャンネルを切り替え、該各受信チャンネルごとに前記スマートアンテナの電
波の受信方向を順次切り替え、受信状態が最も良くなる方向をその受信チャンネルの最適
電波の受信方向とし、前記各受信チャンネルに対する最適電波の受信方向を前記記憶部に
格納させ、前記放送電波に含まれている電子番組表情報を抽出し記憶部に格納させ、
前記記憶部に格納されている前記電子番組表の表示にあわせて各受信チャンネルの最適
電波の受信方向の情報を方角に関係付けられた数値で、前記スマートアンテナの使用状態
を文字で表示し、前記スマートアンテナが方向検索中であることを所定の映像の変化で表
示するＯＳＤ表示を行うことを特徴とするスマートアンテナの情報表示方法。
【請求項８】
３６０°全方向に対して電波の受信方向を切り替えることができるスマートアンテナを
介してチューナ部より地上波テレビ放送の放送電波を受信、復調し、前記チューナ部で受
信、復調し、デコーダ部にて復号化して映像及び音声の信号を映像装置に出力する受信装
置におけるスマートアンテナの情報表示方法であって、
前記受信チャンネルを切り替え、該各受信チャンネルごとに前記スマートアンテナの電
波の受信方向を順次切り替え、受信状態が最も良くなる方向をその受信チャンネルの最適
電波の受信方向とし、前記各受信チャンネルに対する最適電波の受信方向を前記記憶部に
格納させ、前記放送電波に含まれている電子番組表情報を抽出し記憶部に格納させ、
前記記憶部に格納されている前記電子番組表の表示にあわせて各受信チャンネルの最適
電波の受信方向の情報を表示するＯＳＤ表示することを特徴とするスマートアンテナの情
報表示方法。
【請求項９】
前記ＯＳＤ表示は前記スマートアンテナの使用状態を表示することを特徴とする請求項
８に記載のスマートアンテナの情報表示方法。
【請求項１０】
前記ＯＳＤ表示は前記スマートアンテナが方向検索中である旨を画像の変化で表示する
ことを特徴とする請求項８又は請求項９に記載のスマートアンテナの情報表示方法。
【請求項１１】
前記最適電波の受信方向の表示には数値、文字又は記号のうち少なくともひとつを用い
ることを特徴とする請求項８、請求項９又は請求項１０に記載のスマートアンテナの情報
表示方法。
【請求項１２】
前記スマートアンテナの使用状態の表示には、文字、所定の場所における背景色の変化
及び所定の映像の有無又は変化のうち少なくともひとつを用いること特徴とする請求項９
、請求項１０又は請求項１１に記載のスマートアンテナの情報表示方法。
【発明の詳細な説明】
【技術分野】
【０００１】
本発明は、スマートアンテナの電波の受信方向、稼働状態等の情報を映像装置に表示す
ることができる受信装置及びこれに用いるスマートアンテナの情報表示方法に関するもの
である。
【背景技術】
【０００２】
従来、地上波テレビ放送を受信するチューナ装置やテレビ受像機等の受信装置において
、電波の受信方向を設定する場合、各受信チャンネルごとにアンテナの方向を調整する。
このとき、前記受信チャンネルの電波を受信しつつアンテナの方向を少しずつ換えて、水
平同期信号（Ｈ−ＳＹＮＣ）を受信すると共に、自動利得制御機能（ＡＧＣ：Auto Gain 
Control）を利用して電波の強度が高い方向を探し、その後、表示画面を見ながら電波の
受信方向を微調整する。また、地上波デジタル放送を受信する場合は、デジタル放送波に
含まれるエラーレートを検出しながら、前記受信アンテナの最適な方向を決定する。
【０００３】
上述するようにアンテナの調整を行う場合、特殊な調整用の装置が必要であり、また、
家の屋根等の高所に上っての作業になるので危険が伴う。また、各受信チャンネルごとに
調整が必要であり、全ての受信チャンネルに対して行わなくてはならず、時間も手間もか
かる。
【０００４】
そこで、スマートアンテナを利用した地上波の受信が注目されている。スマートアンテ
ナは、それには限定されないが例えば、複数のアレイアンテナが放射状にそれぞれ異なる
方向に延びているものであり、各アレイアンテナを電気的に選択することで、電波の受信
方向を３６０°変化させることができるものである。
【０００５】
このスマートアンテナを利用することで、高所での作業は取り付けのみで、その後は、
電気的な切り替えで電波の受信方向を決定できる。これにより、アンテナ調整の手間も、
時間も大幅に減少させることができる。また、放送局、電波塔等の電波送信施設がアンテ
ナに対して分散して配置されている場合でも、各方向に対してアレイアンテナを立てる必
要がなく、それだけ、アンテナのコストを低減することが可能である。
【特許文献１】特開2001−320744号公報
【発明の開示】
【発明が解決しようとする課題】
【０００６】
しかしながら、前記スマートアンテナは複数の異なる方向に延びるアレイアンテナを有
しており、外見を見るだけでは受信チャンネルでの電波の受信方向がどちらであるかわか
らない。また、前記スマートアンテナが動作しているかどうかは外部から見ただけでは確
認することができない。
【０００７】
例えば、映像が乱れている場合、前記スマートアンテナが正常動作しているか不明であ
ると、使用者は映像の乱れの原因が前記スマートアンテナによるものか、それ以外の要因
によるものか判別しにくい。また、前記スマートアンテナの電波の受信方向がわからない
ので、前記スマートアンテナが正しく放送局（放送電波の発信基地）を向いているかどう
かわからず、使用者は日ごろ見ている放送の映像が最良のものであるかどうかを知ること
が困難である。
【０００８】
そこで本発明は、地上波テレビ放送の放送電波をスマートアンテナで受信し、前記スマ
ートアンテナの情報を前記映像装置に表示するものであり、簡単な構造である受信装置を
提供することを目的とする。
【０００９】
また本発明は、地上波テレビ放送の放送電波をスマートアンテナで受信し、前記スマー
トアンテナの情報を前記映像装置に表示するものであり、前記スマートアンテナの情報を
素早く知ることができるスマートアンテナの情報表示方法を提供することを目的とする。
【課題を解決するための手段】
【００１０】
上記目的を達成するために請求項１の発明は、３６０°全方向に対して電波の受信方向
を切り替えることができるスマートアンテナを介してチューナ部より地上波デジタルテレ
ビ放送及び地上波アナログテレビ放送の放送電波を受信、復調し、前記チューナ部で受信
、復調し、デコーダ部にて復号化して映像及び音声の信号を映像装置に出力する受信装置
において、前記受信装置は各種情報を格納する記憶部と、制御部とを備えており、前記制
御部は前記受信チャンネルを切り替え、該各受信チャンネルごとに前記スマートアンテナ
の電波の受信方向を順次切り替え、受信状態が最も良くなる方向をその受信チャンネルの
最適電波の受信方向とし、前記各受信チャンネルに対する最適電波の受信方向を前記記憶
部に格納させ、前記放送電波に含まれている電子番組表情報を抽出し記憶部に格納させる
ものであり、前記記憶部に格納されている前記電子番組表の表示にあわせて各受信チャン
ネルの最適電波の受信方向の情報を方角に関係付けられた数値で、前記スマートアンテナ
の使用状態を文字で表示し、前記スマートアンテナが方向検索中であることを所定の映像
の変化で表示するＯＳＤ表示部を備えていることを特徴とする受信装置を提供する。
【００１１】
この構成によると、前記スマートアンテナの各受信チャンネルごとのアンテナの方向を
方角に関連付けられた数値で表示し、スマートアンテナの使用状態を文字で表示し、前記
スマートアンテナが方向検索中であることを映像の変化で表すＯＳＤ表示部を有している
。前記ＯＳＤ表示部にて前記方向、使用状態、方向検索中である旨を映像装置の画面に電
子番組表と共に表示するので、複雑な構成の受信装置を用いることなく使用者が前記スマ
ートアンテナの現在の状況を簡単に把握することができる。
【００１２】
上記目的を達成するために請求項２の発明は、３６０°全方向に対して電波の受信方向
を切り替えることができるスマートアンテナを介してチューナ部より地上波テレビ放送の
放送電波を受信、復調し、前記チューナ部で受信、復調し、デコーダ部にて復号化して映
像及び音声の信号を映像装置に出力する受信装置において、前記受信装置は各種情報を格
納する記憶部と、制御部とを備えており、前記制御部は前記受信チャンネルを切り替え、
該各受信チャンネルごとに前記スマートアンテナの電波の受信方向を順次切り替え、受信
状態が最も良くなる方向をその受信チャンネルの最適電波の受信方向とし、前記各受信チ
ャンネルに対する最適電波の受信方向を前記記憶部に格納させ、前記放送電波に含まれて
いる電子番組表情報を抽出し記憶部に格納させるものであり、前記記憶部に格納されてい
る前記電子番組表の表示にあわせて各受信チャンネルの最適電波の受信方向の情報を表示
するＯＳＤ表示部を備えていることを特徴とする受信装置を提供する。
【００１３】
この構成によると、前記スマートアンテナの各受信アンテナごとの最適電波の受信方向
をＯＳＤ表示部を利用して映像装置の画面に前記電子番組表と共に表示するので、前記受
信チャンネルごとの最適電波の受信方向を素早く知ることができる。
【００１４】
このことより、電子番組表では表示されるが受信できないチャンネルを判定することが
でき、電子番組表での予約録画等において、受信できないチャンネルを選択するのを防止
することができる。
【００１５】
上記構成において前記ＯＳＤ表示部は前記電子番組表の表示にあわせて前記スマートア
ンテナの使用状態を表示してもよい。また、前記スマートアンテナが方向検索中の表示を
してもよい。
【００１６】
この構成によると、前記スマートアンテナの情報として、該スマートアンテナの使用状
態の情報、方向検索中であるという情報を画面に表示することができる。このことは、使
用者が前記スマートアンテナの状態に対して多くの情報を素早く入手することが可能であ
るので、前記映像装置にて出力される映像及び（又は）音声の乱れの要因のうち、少なく
ともスマートアンテナに関する要因の検証を素早く行うことができる。
【００１７】
上記構成において前記ＯＳＤ表示部は最適電波の受信方向の表示には数値、文字又は記
号のうち少なくともひとつを用いるものを挙げることができる。
【００１８】
この構成によると、数値、文字又は記号を用いて前記最適電波の受信方向を表示するの
で、使用者にとって直感的にわかりやすくそれだけ素早く各チャンネルの最適電波の受信
方向を知ることができる。
【００１９】
上記構成において前記ＯＳＤ表示部はスマートアンテナの使用状態の表示に文字、所定
の場所における背景色の変化及び所定の映像の有無又は変化のうち少なくとも一方を用い
てもよい。
【００２０】
上記目的を達成するために請求項７の発明は、３６０°全方向に対して電波の受信方向
を切り替えることができるスマートアンテナを介してチューナ部より地上波デジタルテレ
ビ放送及び地上波アナログテレビ放送の放送電波を受信、復調し、前記チューナ部で受信
、復調し、デコーダ部にて復号化して映像及び音声の信号を映像装置に出力する受信装置
におけるスマートアンテナの情報表示方法であって、前記受信チャンネルを切り替え、該
各受信チャンネルごとに前記スマートアンテナの電波の受信方向を順次切り替え、受信状
態が最も良くなる方向をその受信チャンネルの最適電波の受信方向とし、前記各受信チャ
ンネルに対する最適電波の受信方向を前記記憶部に格納させ、前記放送電波に含まれてい
る電子番組表情報を抽出し記憶部に格納させ、前記記憶部に格納されている前記電子番組
表の表示にあわせて各受信チャンネルの最適電波の受信方向の情報を方角に関係付けられ
た数値で、前記スマートアンテナの使用状態を文字で表示し、前記スマートアンテナが方
向検索中であることを所定の映像の変化で表示するＯＳＤ表示を行うことを特徴とするス
マートアンテナの情報表示方法を提供することができる。
【００２１】
この構成によると、前記スマートアンテナの各受信チャンネルごとのアンテナの方向を
方角に関連付けられた数値で表示し、スマートアンテナの使用状態を文字で表示し、前記
スマートアンテナが方向検索中であることを映像の変化で表すＯＳＤ表示部を有しており
、映像装置の画面に表示するので、使用者が前記スマートアンテナの現在の状況を簡単に
把握することが可能である。
【００２２】
このことによって、映像装置より出力される映像及び（又は）音声が乱れている場合、
その映像及び（又は）音声の乱れが前記スマートアンテナの動作状態によるものかどうか
を容易に判定することができる。
【００２３】
上記目的を達成するために請求項８の発明は、３６０°全方向に対して電波の受信方向
を切り替えることができるスマートアンテナを介してチューナ部より地上波テレビ放送の
放送電波を受信、復調し、前記チューナ部で受信、復調し、デコーダ部にて復号化して映
像及び音声の信号を映像装置に出力する受信装置におけるスマートアンテナの情報表示方
法であって、前記受信チャンネルを切り替え、該各受信チャンネルごとに前記スマートア
ンテナの電波の受信方向を順次切り替え、受信状態が最も良くなる方向をその受信チャン
ネルの最適電波の受信方向とし、前記各受信チャンネルに対する最適電波の受信方向を前
記記憶部に格納させ、前記放送電波に含まれている電子番組表情報を抽出し記憶部に格納
させ、前記記憶部に格納されている前記電子番組表の表示にあわせて各受信チャンネルの
最適電波の受信方向の情報を表示するＯＳＤ表示することを特徴とするスマートアンテナ
の情報表示方法を提供する。
【００２４】
この構成によると、前記スマートアンテナの各受信アンテナごとの最適電波の受信方向
をＯＳＤ表示部を利用して映像装置の画面に前記電子番組表と共に表示するので、前記受
信チャンネルごとの最適電波の受信方向を素早く知ることができる。
【００２５】
このことより、電子番組表では表示されるが受信できないチャンネルを判定することが
でき、電子番組表での予約録画等において、受信できないチャンネルを選択するのを防止
することができる。
【００２６】
上記構成において、前記ＯＳＤ表示は前記スマートアンテナの使用状態を表示してもよ
く、前記スマートアンテナが方向検索中である旨を表示してもよい。
【００２７】
この構成によると、前記スマートアンテナの情報として、該スマートアンテナの使用状
態の情報、方向検索中であるという情報を画面に表示することができる。このことは、使
用者が前記スマートアンテナの状態に対して多くの情報を素早く入手することが可能であ
るので、前記映像装置にて出力される映像及び（又は）音声の乱れの要因のうち、少なく
ともスマートアンテナに関する要因の検証を素早く行うことができる。
【００２８】
上記構成において前記最適電波の受信方向の表示には数値、文字又は記号のうち少なく
ともひとつを用いるものを挙げることができる。
【００２９】
この構成によると、数値、文字又は記号を用いて前記最適電波の受信方向を表示するの
で、使用者にとって直感的にわかりやすくそれだけ素早く各チャンネルの最適電波の受信
方向を知ることができる。
【００３０】
上記構成において前記スマートアンテナの使用状態の表示には、文字、所定の場所にお
ける背景色の変化及び所定の映像の有無又は変化のうち少なくともひとつを用いること特
徴とする請求項８から請求項１１のいずれかに記載の受信装置。
【発明の効果】
【００３１】
本発明によると、簡単な構成で、地上波テレビ放送の放送電波をスマートアンテナで受
信し、前記スマートアンテナの情報を前記映像装置に表示することができる受信装置を提
供する。
【００３２】
また本発明によると、地上波テレビ放送の放送電波をスマートアンテナで受信し、前記
スマートアンテナの情報を前記映像装置に表示するものであり、前記スマートアンテナの
情報を素早く、簡単に知ることができるスマートアンテナの情報表示方法を提供する。
【発明を実施するための最良の形態】
【００３３】
以下に本発明の実施形態を図面を参照して説明する。図１に本発明にかかる電波を受信
する受信装置の概略配置図を示す。図１に示す受信装置Ｒは、スマートアンテナＳＡを介
して地上波テレビ放送の放送電波を受信し、復調するチューナ部１と、チューナ部１にて
復調された信号を復号化するデコーダ部２と、各種情報を格納するための記憶部３と、受
信装置Ｒの全体を制御する制御部４とを備えている。また、後述の映像装置に文字、記号
及び画像等を映像信号と独立して表示するためのＯＳＤ表示部５も備えている。
【００３４】
スマートアンテナＳＡは後述の図２に示すとおり、等中心角度間隔で放射状に配置され
た８個のアレイアンテナｓ１〜ｓ８を有している。また、８個のアレイアンテナｓ１〜ｓ
８の切り替えを行うコントローラＳｃも備えている。コントローラＳｃは受信装置Ｒの制
御部４と接続しており、制御部４からの指令によって、電波を受信するチューナ部１との
接続するアレイアンテナを８個のアレイアンテナｓ１〜ｓ８より選択的に切り替えるもの
である。
【００３５】
チューナ部１は、地上波デジタルテレビ放送及び地上波アナログテレビ放送いずれも受
信、復調可能であり、デコーダ部２はチューナ部１より送られてくるデジタル放送信号を
復号化するデジタルデコーダ２１と、アナログ放送信号を復号化するアナログデコーダ２
２とを備えている。デコーダ部２で復号化された放送信号は外部の映像装置６（ここでは
ＴＶ６）におくられ、映像及び音声が表示される。図１に示す実線は電波、信号、データ
が移動しており、破線は制御信号が流れている。
【００３６】
制御部４は上述したスマートアンテナＳＡのコントローラＳｃと接続していると共に、
チューナ部１、デコーダ部２とも接続している。また、記憶部３（ここではメモリ３）、
ＯＳＤ表示部５とも接続している。放送電波にはデジタル、アナログにかかわらず電子番
組表（ＥＰＧ）情報が含まれており、デコーダ部２を通過するときに放送信号より抽出さ
れ、メモリ３に格納される。
【００３７】
ＯＳＤ表示部５はＴＶ６の画面に、映像信号とは独立した数字、記号、画像等を表示す
るものであり、数字、記号、画像等の映像はメモリ３に予め格納されている。
【００３８】
上述のチューナ部１は地上波デジタルテレビ放送及び地上波アナログテレビ放送の両方
を受信、復調することができるものを例示しているが、それに限定されるものではなく、
地上波デジタルテレビ放送又は地上波アナログテレビ放送のいずれか一方を受信、復調す
るものであってもよい。このとき、デコーダ部２にはチューナー部１で復調可能な信号を
、復号化できるデコーダ（チューナ部がデジタル放送を受信できる場合デジタルデコーダ
、アナログ放送を受信できる場合アナログデコーダを備えている）。この場合、デコーダ
部の構成が簡単になるので、受信装置の構成部を減らすことができる。
【００３９】
図２にスマートアンテナの各アレイアンテナの配置方向を示す。アレイアンテナＳ１〜
Ｓ８はそれには限定されないがここでは等中心角度間隔で放射状に８個配置されている。
このとき、北向きのアレイアンテナｓ１に番号１をつけ、時計回りに配置されたアレイア
ンテナｓ２〜ｓ８に順に番号をつける。ここでは、番号１は北向きであり、順に番号２（
ｓ２）は北東、番号３（ｓ３）は東、という順に番号８まで、方向と番号が関連付けられ
ている。電波の受信方向はこれら８方向に限定されるものではなく、アレイアンテナの選
択によって細かく設定できる。
【００４０】
スマートアンテナＳＡの最適電波の受信方向の検索は以下の手順で行われる。チューナ
部１で受信するチャンネルを選局する。このとき、制御部４がコントローラＳｃに指令を
送り、スマートアンテナＳＡの受信方向を各アレイアンテナｓ１〜ｓ８の順に切り替える
。アレイアンテナｓ１〜ｓ８を切り替えたときにそのとき毎に放送信号を受信し、最も良
好な受信状態であった方向を図２において方向及び前記アレイアンテナと関連付けた数値
で記憶部３に格納する。このとき、チャンネルを示す情報と関連付けて格納する。
【００４１】
記憶部３には各受信チャンネルの最適電波の受信方向が検索され、その情報が格納され
ている。また、記憶部３には上述した電子番組表の情報も格納されている。電子番組表を
表示するときに、記憶部３に格納された最適電波の受信方向も同時に表示する。また、電
子番組表を表示しているときのスマートアンテナＳＡの使用状況、最適電波の受信方向を
検索中であるかどうかも表示する。
【００４２】
図３に本発明にかかるスマートアンテナの情報表示方法を利用した画面の一例を示す。
ＯＳＤ表示部５は画面Ｐ１の予め決められた位置に、電子番組表ＥＰ１、電波の受信方向
表示Ｄ１、使用状態表示Ｕ１、方向検索中表示Ｆ１が表示されるように設定されている。
【００４３】
図３に示す電子番組表ＥＰ１は、第１チャンネルから第４チャンネルまで表示しており
、縦方向に各チャンネルを横方向に時間とその時間にやっているプログラムが示されてい
る。それには限定されないがここでは、２時間単位で表示されている。図３に示すように
例えば第１チャンネルでは午後０時から午後１時の間はプログラムＡ１が、その後プログ
ラムＡ２が放送されることを示している。同様に第２チャンネルから第４チャンネルの番
組プログラムが表示されている。
【００４４】
図３に示す電子番組表ＥＰ１の各チャンネルの左側に電波の受信方向表示Ｄ１が付加さ
れている。電波の受信方向表示Ｄ１の数字は、記憶部３に格納された最適電波の受信方向
を示す数字である。この数字は図２に示すスマートアンテナＳＡのアレイアンテナｓ１〜
ｓ８と関連付けた番号と対応している。つまり、第１チャンネルの最適電波の受信方向は
「３」（東）であり、第２チャンネルは「４」（南東）、第３チャンネルは「４」（南東
）、第４チャンネルは「６」（南西）である。最適電波の受信方向が未検索の場合、未検
索の欄には「０」が表示される。
【００４５】
電子番組表ＥＰ１の上側にはスマートアンテナを使用しているかどうかを示す使用状態
表示Ｕ１が備えられている。ここでは使用状態表示Ｕ１はスマートアンテナＳＡを使用し
ているときは「スマートアンテナ使用中」の文字が表示され、使用していないときは「ス
マートアンテナ未使用」が表示される。
【００４６】
また、使用状態表示Ｕ１の右側には方向検索中表示Ｆ１が配置されている。方向検索中
表示Ｆ１はスマートアンテナＳＡの画像（ロゴ）が表示されており、この画像が動いてい
る(回転しているように見える）間は、最適電波の受信方向を検索中であることを示して
いる。すなわち、最適電波の受信方向の検索を行っている間は方向検索中表示Ｆ１のスマ
ートアンテナＳＡの画像が回転する。
【００４７】
方向検索中表示Ｆ１の画像はそれには限定されないがここでは、スマートアンテナＳＡ
のロゴである。また、画像の動作は回転に限定されるものではなく動作を確認できるアニ
メーションを広く採用することができる。また、画像はドットマトリクスで形成された文
字、数字、記号はもちろん、記憶部３に格納可能であり、ＯＳＤ表示部５で表示可能な画
像、写真、アニメーション等を広く採用することができる。
【００４８】
このように電子番組表ＥＰ１に使用状態表示Ｕ１を付加することで、スマートアンテナ
ＳＡの使用状況を把握することができる。また、電波の受信方向表示Ｄ１を付加すること
で各チャンネルの最適電波の受信方向がわかる。また、方向検索中表示Ｆ１を付加するこ
とで、スマートアンテナＳＡが方向検索状態であることを把握することができると共に、
方向検索が終了したかどうかを知ることができる。
【００４９】
図４（Ａ）に本発明にかかるスマートアンテナの情報表示方法を利用した画面の他の例
を、図４（Ｂ）に図４（Ａ）に示す電波の受信方向表示の例を示す。図４（Ａ）に示す画
面Ｐ２は電波の受信方向表示Ｄ２にアンテナの方向を示す矢印を表示している。また、電
波の受信方向表示Ｄ２の背景色によってスマートアンテナＳＡの使用状況を表示している
。
【００５０】
図４（Ａ）に示す電波の受信方向表示Ｄ２の矢印は受信装置Ｒの記憶部３に予め格納さ
れている図形である。各方向の矢印は図４（Ｂ）に示すように図２に示すスマートアンテ
ナＳＡの電波の受信方向の番号と対応している。画面の電波の受信方向表示Ｄ２に番号を
表示するかわりに各番号と対応している矢印を表示することで、最適電波の受信方向を矢
印で表示することができる。また、最適電波の受信方向が未検索である場合、電波の受信
方向表示Ｄ２に矢印は表示されない。また、検索中表示は画面Ｐ１で示した検索中表示Ｆ
１と同じであり、便宜上同一の符号を付している。
【００５１】
また、図４（Ｂ）に示すように電波の受信方向表示Ｄ２の背景色が淡い着色である場合
は、スマートアンテナＳＡを使用中であることを示しており、背景色が濃い着色である場
合はスマートアンテナＳＡを使用中でないことを示している。すなわち、図４（Ａ）に示
す画面Ｐ２の場合電波の受信方向表示Ｄ２が淡い背景色であるのでスマートアンテナＳＡ
を使用中であることを示している。このことにより、使用状態表示を別途設ける必要がな
い。
【００５２】
また、上述の実施例においては、スマートアンテナＳＡの使用状態を、電波の受信方向
表示Ｄ２の背景を淡い着色と濃い着色を用いて色分けすることで示しているが、それに限
定されるものではなく、電波の受信方向表示Ｄ２の背景以外にプログラムを表示している
部分の背景や、使用状態表示を別途設けてその部分の色分けで使用状態を表示する等、使
用者が認識しやすいものを広く採用することができる。
【００５３】
また、薄い着色と濃い着色を用いて区別しているが、それに限定されるものではなく、
カラーであってもよく、使用状態と未使用状態を判別しやすい色の組み合わせを広く採用
することができる。色彩の変化によってスマートアンテナＳＡの使用状態を確認すること
ができるものを広く採用することができる。
【００５４】
さらに、電波の受信方向表示に数字を利用した例、記号を利用した例を示しているが、
それに限定されるものではなく、方角を表す文字（例えば、北、南等の漢字や、Ｎ、Ｓ等
のアルファベット）等の記憶部３に格納することができ、ＯＳＤ表示部５で表示すること
ができる文字、記号等を広く採用することができる。使用者が直感的に方角を理解するこ
とができるものが好ましく、文字、記号を用いて最適電波の受信方向を表示するものが好
ましい。
【００５５】
上述の各実施例の電波の受信方向表示Ｄ１、Ｄ２、使用状態表示Ｕ１、方向検索中表示
Ｆ１をＴＶ６の画面Ｐ１、Ｐ２に表示することで、使用者がスマートアンテナＳＡの使用
状態、各チャンネルでの最適電波の受信方向等の情報を容易に得ることができる。これに
よって、例えばＴＶ６の映像及び（又は）音声がうまく表示されない等のトラブルに対し
て、その原因を調査するときに役に立つ。例えば、映像及び（又は）音声がうまく表示さ
れないときであって、最適電波の受信方向が実際の放送局（放送電波発信基地）の方向と
異なる場合、使用者が手動でスマートアンテナＳＡの電波の受信方向を換えることで、き
れいな映像及び音声を得ることができる。
【図面の簡単な説明】
【００５６】
【図１】本発明にかかる電波を受信する受信装置の概略配置図である。
【図２】スマートアンテナの各アレイアンテナの配置方向を示す図である。
【図３】本発明にかかるスマートアンテナの情報表示方法を利用した画面の一例である。
【図４】図（Ａ）は本発明にかかるスマートアンテナの情報表示方法を利用した画面の他の例であり、図（Ｂ）は図（Ａ）に示す電波の受信方向表示の例である。
【符号の説明】
【００５７】
ＳＡ  スマートアンテナ
Ｓｃ  コントローラ
ｓ１〜ｓ８  アレイアンテナ
Ｒ  受信装置
１  チューナ部
２  デコーダ部
２１  デジタルデコーダ
２２  アナログデコーダ
３  記憶部
４  制御部
５  ＯＳＤ表示部
Ｐ１  画面
Ｄ１、Ｄ２  電波の受信方向表示
Ｕ１  使用状態表示
Ｆ１  検索中表示
【図１】
2005354434.tif 000003
【図２】
2005354434.tif 000004
【図３】
2005354434.tif 000005
【図４】
2005354434.tif 000006